(57)【要約】【課題】携帯端末装置に内蔵されている２次電池の劣化状態を、より正確に計測できる電池劣化判定システムを提供する。【解決手段】サーバ２０と判定端末装置３０と電池劣化判定装置４０と判定アタッチメント５０とにて構成された電池劣化判定システムであって、判定端末装置は、サーバから判定基準情報を受信し、所定時間間隔にて、電池状態要求情報を、電池劣化判定装置と判定アタッチメントと接続ケーブル８３を介して携帯端末装置に送信し、携帯端末装置からの電池状態応答情報を受信し、携帯端末装置６０の２次電池６４Ｂの劣化状態を判定する。接続ケーブル８３から２次電池を充電するために供給される充電電流の最大電流値は、予め所定最大電流値に設定されており、携帯端末装置に内蔵されている２次電池は、所定最大電流値以下の充電電流にて充電され、サーバに記憶されている判定基準情報は、所定最大電流値に対応付けて設定されている。【選択図】図１
2017044566.tif 000002
【特許請求の範囲】
【請求項１】
サーバと、判定端末装置と、電池劣化判定装置と、判定アタッチメントと、にて構成されて、接続ケーブルにて前記判定アタッチメントに接続された携帯端末装置に内蔵されている状態の２次電池の劣化状態を判定する、電池劣化判定システムであって、
前記サーバには、判定対象である２次電池を内蔵している前記携帯端末装置の機種を示す機種情報毎に判定基準情報が対応付けられた電池判定基準情報が記憶されており、
前記判定端末装置と前記電池劣化判定装置は、第１通信回線にて互いに送受信可能に接続されており、
前記電池劣化判定装置と前記判定アタッチメントは、第２通信回線にて互いに送受信可能に接続されており、
前記判定アタッチメントと前記携帯端末装置は、前記接続ケーブルにて互いに送受信可能に接続されており、
前記携帯端末装置に内蔵されている前記２次電池は、前記接続ケーブルを介して充電状態とされており、
前記判定端末装置は、第１の所定タイミングにて、前記携帯端末装置の機種情報を含む判定基準要求情報を、前記サーバに向けて送信し、
前記サーバは、前記判定基準要求情報を受信すると、記憶している前記電池判定基準情報の中から、受信した前記判定基準要求情報に含まれている前記機種情報に対応する判定基準情報を抽出し、抽出した前記判定基準情報を含む判定基準応答情報を、前記判定端末装置に送信し、
前記判定端末装置は、前記判定基準応答情報を受信すると、受信した判定基準応答情報に含まれている前記判定基準情報を記憶した後、所定時間間隔にて、電池状態取得コマンドを含む電池状態要求情報を、前記第１通信回線を介して前記電池劣化判定装置に送信し、
前記電池劣化判定装置は、前記電池状態要求情報を受信すると、受信した前記電池状態要求情報を、前記第２通信回線を介して前記判定アタッチメントに送信し、
前記判定アタッチメントは、前記電池状態要求情報を受信すると、受信した前記電池状態要求情報に含まれている前記電池状態取得コマンドを、前記接続ケーブルを介して前記携帯端末装置に送信し、
前記携帯端末装置は、前記電池状態取得コマンドを受信すると、受信した前記電池状態取得コマンドに基づいて、自身に内蔵されて充電中の前記２次電池の電圧を含む電池状態を取得し、取得した前記電池状態を含む電池状態応答情報を、前記接続ケーブルを介して前記判定アタッチメントに送信し、
前記判定アタッチメントは、前記電池状態応答情報を受信すると、受信した前記電池状態応答情報を、前記第２通信回線を介して前記電池劣化判定装置に送信し、
前記電池劣化判定装置は、前記電池状態応答情報を受信すると、受信した前記電池状態応答情報を、前記第１通信回線を介して前記判定端末装置に送信し、
前記判定端末装置は、前記電池状態応答情報を受信すると、受信した前記電池状態応答情報を記憶し、前記所定時間間隔にて前記電池状態応答情報を取得して、時間の経過に応じた前記２次電池の前記電池状態を示す充電特性を計測し、計測した前記充電特性と、前記サーバから受信した前記判定基準情報と、に基づいて、前記２次電池の劣化状態を判定し、
前記判定アタッチメントには、当該判定アタッチメントに電力を供給する電源ケーブルが接続されており、
前記電源ケーブルと前記判定アタッチメントを介して前記接続ケーブルから前記携帯端末装置に内蔵されている前記２次電池を充電するために供給される充電電流の最大電流値は、予め所定最大電流値に設定されており、
前記携帯端末装置に内蔵されている前記２次電池は、前記所定最大電流値以下の充電電流にて充電され、
前記サーバに記憶されている前記電池判定基準情報における前記判定基準情報は、前記所定最大電流値に対応付けて設定されている、
電池劣化判定システム。
【請求項２】
請求項１に記載の電池劣化判定システムであって、
前記サーバに記憶されている前記電池判定基準情報には、さらに、前記機種情報毎に、前記電池状態取得コマンドが対応付けられており、
前記サーバから前記判定端末装置に送信される前記判定基準応答情報には、前記機種情報に対応する前記判定基準情報に加えて、前記機種情報に対応する前記電池状態取得コマンドが含まれており、
前記判定端末装置は、前記判定基準応答情報を受信すると、受信した判定基準応答情報に含まれている前記判定基準情報と前記電池状態取得コマンドを記憶した後、前記所定時間間隔にて、記憶した前記電池状態取得コマンドを含む前記電池状態要求情報を、前記第１通信回線を介して前記電池劣化判定装置に送信する、
電池劣化判定システム。
【請求項３】
請求項１または２に記載の電池劣化判定システムであって、
前記判定端末装置は、前記第１の所定タイミングの前に、予め設定された機種要求情報を、前記第１通信回線を介して前記電池劣化判定装置に送信し、
前記電池劣化判定装置は、前記機種要求情報を受信すると、受信した前記機種要求情報を、前記第２通信回線を介して前記判定アタッチメントに送信し、
前記判定アタッチメントは、前記機種要求情報を受信すると、受信した前記機種要求情報に基づいた機種要求コマンドを、前記接続ケーブルを介して前記携帯端末装置に送信し、
前記携帯端末装置は、前記機種要求コマンドを受信すると、予め記憶されている自身の機種を示す機種情報を取得し、取得した前記機種情報を含む機種応答情報を、前記接続ケーブルを介して前記判定アタッチメントに送信し、
前記判定アタッチメントは、前記機種応答情報を受信すると、受信した前記機種応答情報を、前記第２通信回線を介して前記電池劣化判定装置に送信し、
前記電池劣化判定装置は、前記機種応答情報を受信すると、受信した前記機種応答情報を、前記第１通信回線を介して前記判定端末装置に送信し、
前記判定端末装置は、前記機種応答情報を受信すると、受信した前記機種応答情報に含まれている機種情報を記憶し、
前記判定端末装置は、前記機種情報を記憶した後、前記第１の所定タイミングにて、記憶した前記機種情報を含む前記判定基準要求情報を、前記サーバに向けて送信する、
電池劣化判定システム。
【請求項４】
サーバと、判定アタッチメントと、にて構成されて、接続ケーブルにて前記判定アタッチメントに接続された携帯端末装置に内蔵されている状態の２次電池の劣化状態を判定する、電池劣化判定システムであって、
前記サーバには、判定対象である２次電池を内蔵している前記携帯端末装置の機種を示す機種情報毎に判定基準情報が対応付けられた電池判定基準情報が記憶されており、
前記判定アタッチメントと前記携帯端末装置は、前記接続ケーブルにて互いに送受信可能に接続されており、
前記携帯端末装置に内蔵されている前記２次電池は、前記接続ケーブルを介して充電状態とされており、
前記判定アタッチメントは、
前記接続ケーブルを介して接続された前記携帯端末装置と送受信を行う通信手段と、
前記携帯端末装置に内蔵されている２次電池の劣化状態を判定する電池劣化判定アプリケーションプログラムを記憶しているとともに、前記判定アタッチメントに内蔵あるいは前記判定アタッチメントに対して着脱可能とされた記憶手段と、
前記接続ケーブルを介して前記携帯端末装置への前記電池劣化判定アプリケーションプログラムのインストールを指示するインストール手段と、
制御手段と、を有しており、
前記インストール手段によって前記電池劣化判定アプリケーションプログラムがインストールされた前記携帯端末装置であるインストール済携帯端末装置は、前記電池劣化判定アプリケーションプログラムが起動されると、自身から読み出した機種情報を含む判定基準要求情報を、前記サーバに向けて送信し、
前記サーバは、前記判定基準要求情報を受信すると、記憶している前記電池判定基準情報の中から、受信した前記判定基準要求情報に含まれている前記機種情報に対応する判定基準情報を抽出し、抽出した前記判定基準情報を含む判定基準応答情報を、前記インストール済携帯端末装置に送信し、
前記インストール済携帯端末装置は、前記判定基準応答情報を受信すると、受信した判定基準応答情報に含まれている前記判定基準情報を記憶した後、所定時間間隔にて、自身に内蔵されて充電中の前記２次電池の電圧を含む電池状態を取得して記憶し、時間の経過に応じた前記２次電池の前記電池状態を示す充電特性を計測し、計測した前記充電特性と、前記サーバから受信した前記判定基準情報と、に基づいて、前記２次電池の劣化状態を判定し、
前記判定アタッチメントには、当該判定アタッチメントに電力を供給する電源ケーブルが接続されており、
前記電源ケーブルと前記判定アタッチメントを介して前記接続ケーブルから前記携帯端末装置に内蔵されている前記２次電池を充電するために供給される充電電流の最大電流値は、予め所定最大電流値に設定されており、
前記携帯端末装置に内蔵されている前記２次電池は、前記所定最大電流値以下の充電電流にて充電され、
前記サーバに記憶されている前記電池判定基準情報における前記判定基準情報は、前記所定最大電流値に対応付けて設定されている、
電池劣化判定システム。
【発明の詳細な説明】
【技術分野】
【０００１】
本発明は、２次電池を内蔵している携帯端末装置において、当該携帯端末装置から２次電池を取り外すことなく、２次電池を内蔵している状態の携帯端末装置に対して、当該２次電池の劣化状態を判定する、電池劣化判定システムに関する。
【背景技術】
【０００２】
近年では、携帯電話、スマートフォン、タブレット型端末装置等を含む種々の携帯端末装置が利用されている。これらの携帯端末装置の電源には、２次電池（充電可能な電池）が用いられている。２次電池は、充放電を繰り返すことで徐々に劣化して、充電可能な容量（すなわち、放電可能な容量）が徐々に減少していくことが知られている。劣化が進んだ２次電池は放電時間が短くなるので、携帯端末装置のユーザは、２次電池の劣化がある程度まで進むと２次電池を交換している。しかし、２次電池を交換するべき時期の適切な判断は困難であり、２次電池の劣化状態を比較的短時間で把握できるシステムが望まれている。例えば、２次電池の放電時の特性から劣化状態を判定する従来の方法では、数時間もの時間を必要としてしまい、好ましくない。
【０００３】
そこで、特許文献１には、携帯端末装置から取り外した２次電池の端子に電池アタッチメントの電極を接触させて、当該２次電池を充電しながら充電特性を計測し、数分程度で２次電池の劣化状態を判定できる電池状態判定装置が開示されている。
【０００４】
また、特許文献２には、内蔵している２次電池をユーザが取り出せない携帯端末装置であっても、携帯端末装置に内蔵されている２次電池の充電特性を適切に計測し、数分程度で２次電池の劣化状態を判定できる電池劣化判定アプリケーションプログラムが開示されている。特許文献２に記載の発明では、携帯端末装置に電池劣化判定アプリケーションプログラムをインストールし、携帯端末装置に充電用ケーブルを含む充電器を接続し、充電器を介して携帯端末装置に内蔵されている２次電池を充電しながら充電特性を計測し、計測した充電特性と、サーバから読み出した基準特性と、を比較して２次電池の劣化状態を判定している。
【先行技術文献】
【特許文献】
【０００５】
【特許文献１】特許第３４７４５３５号公報
【特許文献２】特開２０１５−０５３７４７号公報
【発明の概要】
【発明が解決しようとする課題】
【０００６】
特許文献１に記載の発明を利用できる２次電池は、ユーザが携帯端末装置から取り外すことができるタイプの２次電池でなければならない。ところが近年では、防水性やデザイン性の観点等から、２次電池が携帯端末装置の内部に封止されて、ユーザが２次電池を取り外すことができない携帯端末装置が増加傾向にある。２次電池が携帯端末装置の内部に封止されてユーザが取り外せない場合、特許文献１に記載の電池状態判定装置を利用することができない。
【０００７】
また特許文献２に記載の発明では、充電用ケーブルを含む充電器に懸念がある。従来の充電器は、最大出力電流値が５００［ｍＡ］にほぼ統一されていた。しかし近年の充電器は、大容量の２次電池をより短時間に充電できるように、最大出力電流値が、６００［ｍＡ］、１０００［ｍＡ］、１５００［ｍＡ］等、統一されておらず種々の最大出力電流値の充電器が出回っている。当然ながら、最大出力電流値が異なる充電器を使って充電した場合、同じ２次電池であっても、充電特性が異なる。例えば最大出力電流値（大）の充電器と、最大出力電流値（小）の充電器と、を用いたそれぞれの充電特性において、最大出力電流値（大）の場合では、最大出力電流値（小）の場合と比較して、時間の経過に対する充電時の電圧の立上り特性が急峻になる。つまり、充電器で充電特性が変わってしまうので、充電器に応じて、判定に使用する基準特性を変更しなければ、計測対象の２次電池の劣化状態をより正確に判定することができない。しかし、近年では、種々のメーカから種々の最大出力電流値の充電器が提供されているので、携帯端末装置の機種毎かつ充電器毎に、基準特性を用意することは現実的ではない。
【０００８】
本発明は、このような点に鑑みて創案されたものであり、携帯端末装置に内蔵されている２次電池の劣化状態を、より正確に計測できる電池劣化判定システムを提供することを課題とする。
【課題を解決するための手段】
【０００９】
上記課題を解決するため、本発明に係る電池劣化判定システムは次の手段をとる。まず、本発明の第１の発明は、サーバと、判定端末装置と、電池劣化判定装置と、判定アタッチメントと、にて構成されて、接続ケーブルにて前記判定アタッチメントに接続された携帯端末装置に内蔵されている状態の２次電池の劣化状態を判定する、電池劣化判定システムである。前記サーバには、判定対象である２次電池を内蔵している前記携帯端末装置の機種を示す機種情報毎に判定基準情報が対応付けられた電池判定基準情報が記憶されており、前記判定端末装置と前記電池劣化判定装置は、第１通信回線にて互いに送受信可能に接続されており、前記電池劣化判定装置と前記判定アタッチメントは、第２通信回線にて互いに送受信可能に接続されており、前記判定アタッチメントと前記携帯端末装置は、前記接続ケーブルにて互いに送受信可能に接続されており、前記携帯端末装置に内蔵されている前記２次電池は、前記接続ケーブルを介して充電状態とされている。そして、前記判定端末装置は、第１の所定タイミングにて、前記携帯端末装置の機種情報を含む判定基準要求情報を、前記サーバに向けて送信し、前記サーバは、前記判定基準要求情報を受信すると、記憶している前記電池判定基準情報の中から、受信した前記判定基準要求情報に含まれている前記機種情報に対応する判定基準情報を抽出し、抽出した前記判定基準情報を含む判定基準応答情報を、前記判定端末装置に送信し、前記判定端末装置は、前記判定基準応答情報を受信すると、受信した判定基準応答情報に含まれている前記判定基準情報を記憶した後、所定時間間隔にて、電池状態取得コマンドを含む電池状態要求情報を、前記第１通信回線を介して前記電池劣化判定装置に送信し、前記電池劣化判定装置は、前記電池状態要求情報を受信すると、受信した前記電池状態要求情報を、前記第２通信回線を介して前記判定アタッチメントに送信し、前記判定アタッチメントは、前記電池状態要求情報を受信すると、受信した前記電池状態要求情報に含まれている前記電池状態取得コマンドを、前記接続ケーブルを介して前記携帯端末装置に送信し、前記携帯端末装置は、前記電池状態取得コマンドを受信すると、受信した前記電池状態取得コマンドに基づいて、自身に内蔵されて充電中の前記２次電池の電圧を含む電池状態を取得し、取得した前記電池状態を含む電池状態応答情報を、前記接続ケーブルを介して前記判定アタッチメントに送信し、前記判定アタッチメントは、前記電池状態応答情報を受信すると、受信した前記電池状態応答情報を、前記第２通信回線を介して前記電池劣化判定装置に送信し、前記電池劣化判定装置は、前記電池状態応答情報を受信すると、受信した前記電池状態応答情報を、前記第１通信回線を介して前記判定端末装置に送信し、前記判定端末装置は、前記電池状態応答情報を受信すると、受信した前記電池状態応答情報を記憶し、前記所定時間間隔にて前記電池状態応答情報を取得して、時間の経過に応じた前記２次電池の前記電池状態を示す充電特性を計測し、計測した前記充電特性と、前記サーバから受信した前記判定基準情報と、に基づいて、前記２次電池の劣化状態を判定する。なお、前記判定アタッチメントには、当該判定アタッチメントに電力を供給する電源ケーブルが接続されており、前記電源ケーブルと前記判定アタッチメントを介して前記接続ケーブルから前記携帯端末装置に内蔵されている前記２次電池を充電するために供給される充電電流の最大電流値は、予め所定最大電流値に設定されており、前記携帯端末装置に内蔵されている前記２次電池は、前記所定最大電流値以下の充電電流にて充電され、前記サーバに記憶されている前記電池判定基準情報における前記判定基準情報は、前記所定最大電流値に対応付けて設定されている、電池劣化判定システムである。
【００１０】
次に、本発明の第２の発明は、上記第１の発明に係る電池劣化判定システムであって、前記サーバに記憶されている前記電池判定基準情報には、さらに、前記機種情報毎に、前記電池状態取得コマンドが対応付けられており、前記サーバから前記判定端末装置に送信される前記判定基準応答情報には、前記機種情報に対応する前記判定基準情報に加えて、前記機種情報に対応する前記電池状態取得コマンドが含まれており、前記判定端末装置は、前記判定基準応答情報を受信すると、受信した判定基準応答情報に含まれている前記判定基準情報と前記電池状態取得コマンドを記憶した後、前記所定時間間隔にて、記憶した前記電池状態取得コマンドを含む前記電池状態要求情報を、前記第１通信回線を介して前記電池劣化判定装置に送信する、電池劣化判定システムである。
【００１１】
次に、本発明の第３の発明は、上記第１の発明または第２の発明に係る電池劣化判定システムであって、前記判定端末装置は、前記第１の所定タイミングの前に、予め設定された機種要求情報を、前記第１通信回線を介して前記電池劣化判定装置に送信し、前記電池劣化判定装置は、前記機種要求情報を受信すると、受信した前記機種要求情報を、前記第２通信回線を介して前記判定アタッチメントに送信し、前記判定アタッチメントは、前記機種要求情報を受信すると、受信した前記機種要求情報に基づいた機種要求コマンドを、前記接続ケーブルを介して前記携帯端末装置に送信し、前記携帯端末装置は、前記機種要求コマンドを受信すると、予め記憶されている自身の機種を示す機種情報を取得し、取得した前記機種情報を含む機種応答情報を、前記接続ケーブルを介して前記判定アタッチメントに送信し、前記判定アタッチメントは、前記機種応答情報を受信すると、受信した前記機種応答情報を、前記第２通信回線を介して前記電池劣化判定装置に送信し、前記電池劣化判定装置は、前記機種応答情報を受信すると、受信した前記機種応答情報を、前記第１通信回線を介して前記判定端末装置に送信し、前記判定端末装置は、前記機種応答情報を受信すると、受信した前記機種応答情報に含まれている機種情報を記憶する。そして、前記判定端末装置は、前記機種情報を記憶した後、前記第１の所定タイミングにて、記憶した前記機種情報を含む前記判定基準要求情報を、前記サーバに向けて送信する、電池劣化判定システムである。
【００１２】
次に、本発明の第４の発明は、サーバと、判定アタッチメントと、にて構成されて、接続ケーブルにて前記判定アタッチメントに接続された携帯端末装置に内蔵されている状態の２次電池の劣化状態を判定する、電池劣化判定システムである。前記サーバには、判定対象である２次電池を内蔵している前記携帯端末装置の機種を示す機種情報毎に判定基準情報が対応付けられた電池判定基準情報が記憶されており、前記判定アタッチメントと前記携帯端末装置は、前記接続ケーブルにて互いに送受信可能に接続されており、前記携帯端末装置に内蔵されている前記２次電池は、前記接続ケーブルを介して充電状態とされている。また、前記判定アタッチメントは、前記接続ケーブルを介して接続された前記携帯端末装置と送受信を行う通信手段と、前記携帯端末装置に内蔵されている２次電池の劣化状態を判定する電池劣化判定アプリケーションプログラムを記憶しているとともに、前記判定アタッチメントに内蔵あるいは前記判定アタッチメントに対して着脱可能とされた記憶手段と、前記接続ケーブルを介して前記携帯端末装置への前記電池劣化判定アプリケーションプログラムのインストールを指示するインストール手段と、制御手段と、を有している。そして、前記インストール手段によって前記電池劣化判定アプリケーションプログラムがインストールされた前記携帯端末装置であるインストール済携帯端末装置は、前記電池劣化判定アプリケーションプログラムが起動されると、自身から読み出した機種情報を含む判定基準要求情報を、前記サーバに向けて送信し、前記サーバは、前記判定基準要求情報を受信すると、記憶している前記電池判定基準情報の中から、受信した前記判定基準要求情報に含まれている前記機種情報に対応する判定基準情報を抽出し、抽出した前記判定基準情報を含む判定基準応答情報を、前記インストール済携帯端末装置に送信し、前記インストール済携帯端末装置は、前記判定基準応答情報を受信すると、受信した判定基準応答情報に含まれている前記判定基準情報を記憶した後、所定時間間隔にて、自身に内蔵されて充電中の前記２次電池の電圧を含む電池状態を取得して記憶し、時間の経過に応じた前記２次電池の前記電池状態を示す充電特性を計測し、計測した前記充電特性と、前記サーバから受信した前記判定基準情報と、に基づいて、前記２次電池の劣化状態を判定する。なお、前記判定アタッチメントには、当該判定アタッチメントに電力を供給する電源ケーブルが接続されており、前記電源ケーブルと前記判定アタッチメントを介して前記接続ケーブルから前記携帯端末装置に内蔵されている前記２次電池を充電するために供給される充電電流の最大電流値は、予め所定最大電流値に設定されており、前記携帯端末装置に内蔵されている前記２次電池は、前記所定最大電流値以下の充電電流にて充電され、前記サーバに記憶されている前記電池判定基準情報における前記判定基準情報は、前記所定最大電流値に対応付けて設定されている、電池劣化判定システムである。
【発明の効果】
【００１３】
第１の発明によれば、電源ケーブルと判定アタッチメントを介して接続ケーブルから携帯端末装置の２次電池を充電するために供給される充電電流の最大電流値は、所定最大電流値に設定されている。従って、携帯端末装置の２次電池は、接続ケーブルを介して所定最大電流値以下の充電電流にて充電される。このため、充電用ケーブルを含む充電器毎に判定基準情報を用意する必要が無く、機種情報及び所定最大電流値に対応させた判定基準情報を用意することで、携帯端末装置に内蔵されている２次電池の劣化状態を、より正確に計測できる電池劣化判定システムを提供できる。また、携帯端末装置に電池劣化判定アプリケーションプログラムをインストールする必要が無く、判定端末装置から電池状態取得コマンドを含む電池状態要求情報を送信して電池状態応答情報を受信するだけでよいので、携帯端末装置のショップ等にてユーザの携帯端末装置の２次電池の劣化状態を判定する際、非常に便利である。
【００１４】
第２の発明によれば、機種情報毎に電池状態取得コマンドが異なる場合であっても、機種情報に応じた電池状態取得コマンドを、適切かつ容易に入手できる。
【００１５】
第３の発明によれば、正しい機種情報を、自動的に入手することができるので、非常に便利である。また、誤った判定基準情報をサーバから受信することが無くなる。
【００１６】
第４の発明によれば、サーバと判定アタッチメントのみ、という非常にシンプルな構成にて、電池劣化判定システムを実現することができる。また、電源ケーブルと判定アタッチメントを介して接続ケーブルから携帯端末装置の２次電池を充電するために供給される充電電流の最大電流値は、所定最大電流値に設定されている。従って、携帯端末装置の２次電池は、接続ケーブルを介して所定最大電流値以下の充電電流にて充電される。このため、充電用ケーブルを含む充電器毎に判定基準情報を用意する必要が無く、機種情報及び所定最大電流値に対応させた判定基準情報を用意することで、携帯端末装置に内蔵された２次電池の劣化状態を、より正確に計測できる電池劣化判定システムを提供できる。
【図面の簡単な説明】
【００１７】
【図１】第１の実施の形態の電池劣化判定システムの全体構成を説明する図である。
【図２】判定端末装置の構成の例を説明する図である。
【図３】電池劣化判定装置の構成の例を説明する図である。
【図４】判定アタッチメントの構成の例を説明する図である。
【図５】携帯端末装置の構成の例を説明する図である。
【図６】判定アタッチメントの外観の例を説明する図である。
【図７】第１の実施の形態における、作業者（店員）と、各機器との間の作業・処理シーケンスの全体を説明する図である。
【図８】図７中の判定前処理における、作業者（店員）と、各機器との間の作業・処理シーケンスの例を説明する図である。
【図９】図７中の判定処理における、作業者（店員）と、各機器との間の作業・処理シーケンスの例を説明する図である。
【図１０】図７中の判定後処理における、作業者（店員）と、各機器との間の作業・処理シーケンスの例を説明する図である。
【図１１】携帯端末装置に接続する充電器として、最大出力電流が５００［ｍＡ］の充電器と、最大出力電流が１０００［ｍＡ］の充電器を選択できてしまう場合の例を説明する図である。
【図１２】携帯端末装置に、最大出力電流が５００［ｍＡ］の充電器を接続して充電した場合の充電特性の例と、最大出力電流が１０００［ｍＡ］の充電器を接続して充電した場合の充電特性の例と、を説明する図である。
【図１３】２次電池の劣化状態の判定方法の例を説明する図である。
【図１４】サーバに記憶されている電池判定基準情報の例を説明する図である。
【図１５】第２の実施の形態の電池劣化判定システムの全体構成を説明する図である。
【図１６】第２の実施の形態における、作業者（店員）と、各機器との間の作業・処理シーケンスの全体を説明する図である。
【図１７】図１６中の判定前処理における、作業者（店員）と、各機器との間の作業・処理シーケンスの例を説明する図である。
【図１８】図１６中の判定処理における、作業者（店員）と、各機器との間の作業・処理シーケンスの例を説明する図である。
【図１９】図１６中の判定後処理における、作業者（店員）と、各機器との間の作業・処理シーケンスの例を説明する図である。
【発明を実施するための形態】
【００１８】
以下に本発明を実施するための形態を図面を用いて説明する。
●●［第１の実施の形態の電池劣化判定システム１の全体構成（図１）］
図１に示すように、第１の実施の形態における電池劣化判定システム１は、管理端末装置１０、サーバ２０、判定端末装置３０、電池劣化判定装置４０、判定アタッチメント５０等にて構成され、携帯端末装置６０に内蔵されている２次電池６４Ｂの劣化状態を判定するが、管理端末装置１０は省略してもよい。本実施の形態にて説明する電池劣化判定システム１は、例えば携帯端末装置のショップに設けられており、当該ショップの店員が、顧客へのサービスとして、顧客の携帯端末装置６０が内蔵している２次電池の劣化状態を判定するために利用される。
【００１９】
なお、サーバと、判定端末装置と、電池劣化判定装置と、にて構成されて、携帯端末装置から取り外された２次電池の充電時の特性である充電特性を、電池劣化判定装置、あるいは電池劣化判定装置と判定端末装置、を用いて計測し、計測した充電特性と、サーバから受信した基準特性と、に基づいて２次電池の劣化状態を判定する判定システムは、既に存在している（取り外された２次電池の端子に、電池劣化判定装置のプローブ（電極）を直接接触させて充電しながら充電特性を計測する特許第３４７４５３５号公報を参照。）。しかし、近年の携帯端末装置（携帯電話、スマートフォン、タブレット型端末装置等を含む）は、防水性やデザイン性の観点等から、２次電池が携帯端末装置の内部に封止されて、ユーザが２次電池を取り外すことができない携帯端末装置が増加傾向にある。上記の判定システムでは、取り外した２次電池の端子に電池劣化判定装置（４０）のプローブ（４９Ａ、４９Ｂ）を直接接触させなければならないので、携帯端末装置の内部に封止された２次電池の劣化状態を判定することができない。第１の実施の形態にて説明する電池劣化判定システム１（図１参照）は、携帯端末装置６０に内蔵されている状態の２次電池６４Ｂの劣化状態を判定可能とするために、上記の判定システムに対して、接続ケーブル８３にて携帯端末装置６０と接続される判定アタッチメント５０を追加している。更に、判定端末装置３０と電池劣化判定装置４０に、携帯端末装置６０に内蔵されている状態の２次電池６４Ｂの劣化状態を判定可能とするための処理を追加している。以下、各機器の構成等を説明した後、各機器の動作（処理）を説明する。
【００２０】
管理端末装置１０は、例えばパーソナルコンピュータであり、通信回線７１にてインターネット７０に接続されており、サーバ２０の記憶内容の変更をするための専用機器として設けられている。作業者は、管理端末装置１０を介して、サーバ２０に記憶されている電池判定基準情報の内容を変更可能である。なお、管理端末装置１０を省略し、種々の端末装置から、サーバ２０に記憶されている電池判定基準情報の内容を変更可能としてもよい。
【００２１】
サーバ２０は、一般的なサーバであり、通信回線７２にてインターネット７０に接続されている。またサーバ２０には、判定対象である２次電池を内蔵している携帯端末装置の機種情報毎に判定基準情報が対応付けられた電池判定基準情報（図１４参照）が記憶されている。なお図１４に示した電池判定基準情報２０Ａは、機種情報毎に、判定基準情報（劣化なし新品時面積、劣化進行度５０％要交換時面積）に加えて、電池状態取得コマンドも対応付けられている例を示している。なおサーバ２０の記憶内容等は、管理端末装置１０から変更される。
【００２２】
判定端末装置３０は、例えばタブレット型端末装置であり、判定端末装置用の電池劣化判定アプリケーションプログラムがインストールされており、例えばショップの店員が操作する端末装置である。判定端末装置３０は、無線あるいは有線の通信回線８０（例えばＷｉ−Ｆｉ（登録商標））にてインターネット７０を介してサーバ２０と互いに送受信可能に接続されている。また判定端末装置３０と電池劣化判定装置４０は、無線あるいは有線の第１通信回線８１（例えばBluetooth（登録商標））にて互いに送受信可能となるように接続されている。
【００２３】
電池劣化判定装置４０は、主に携帯端末装置から取り外された２次電池の充電と充電特性の計測を行う装置であるが、第１の実施の形態では、判定端末装置３０と判定アタッチメント５０との間の各種の情報の中継等を行う。電池劣化判定装置４０には、当該中継を行うためのアプリケーションプログラムがインストールされている。電池劣化判定装置４０と判定アタッチメント５０は、無線あるいは有線の第２通信回線８２（例えば通信用ＵＳＢケーブル）にて互いに送受信可能となるように接続されている。
【００２４】
判定アタッチメント５０は、例えば小型のパーソナルコンピュータであり、自身に電力を供給する電源ケーブル５４Ｐ（電源アダプタ）が接続されている。判定アタッチメント５０と携帯端末装置６０は、接続ケーブル８３（例えば、充電及び通信用ＵＳＢケーブル）にて互いに送受信可能となるように接続されている。また第１の実施の形態では、判定アタッチメント５０は、電池劣化判定装置４０と携帯端末装置６０との間の各種の情報の中継等を行う。判定アタッチメント５０には、当該中継を行うためのアプリケーションプログラムがインストールされている。
【００２５】
携帯端末装置６０は、例えば携帯電話、スマートフォン、タブレット型端末装置等を含み、計測対象である２次電池６４Ｂを内蔵している。そして携帯端末装置６０に内蔵されている２次電池６４Ｂは、接続ケーブル８３を介して判定アタッチメント５０から充電される充電状態とされており、充電時の特性である充電特性が計測される。
【００２６】
●［判定端末装置３０の構成（図２）］
次に図２を用いて、判定端末装置３０の構成について説明する。判定端末装置３０は、例えば制御手段３１（ＣＰＵ）、ＲＯＭ３２、ＲＡＭ３３、２次電池３４、通信手段３５、通信手段３６、入出力手段３７等を有している。
【００２７】
ＲＯＭ３２は、例えばＦｌａｓｈ−ＲＯＭであり、後述する電池劣化判定処理を行うために、判定端末装置用の電池劣化判定アプリケーションプログラムや、判定端末装置３０のＯＳ等が記憶されている。ＲＡＭ３３は、制御手段３１が、ＯＳや電池劣化判定アプリケーションプログラムを実行する際に利用するためのＲＡＭである。
【００２８】
２次電池３４は、例えばリチウムイオンバッテリであり、判定端末装置３０の電源である。
【００２９】
通信手段３５は、例えばＷｉ−Ｆｉ用の通信回路であり、制御手段３１は、通信手段３５及び通信回線８０を介してサーバ２０と情報の送受信が可能である。通信手段３６は、例えばBluetooth（登録商標）用の通信回路であり、制御手段３１は、通信手段３６及び第１通信回線８１を介して電池劣化判定装置４０と情報の送受信が可能である。
【００３０】
入出力手段３７は、例えばタッチパネルであり、制御手段３１からの制御に基づいた各種の表示や、ユーザからの入力を受け付ける。
【００３１】
●［電池劣化判定装置４０の構成（図３）］
次に図３を用いて、電池劣化判定装置４０の構成について説明する。電池劣化判定装置４０は、例えば制御手段４１（ＣＰＵ）、ＲＯＭ４２、ＲＡＭ４３、電源回路４４、通信手段４５、通信手段４６、入力手段４７Ａ、出力手段４７Ｂ、充電・電圧検出手段４８、プローブ４９Ａ、４９Ｂ等を有している。
【００３２】
ＲＯＭ４２は、例えばＦｌａｓｈ−ＲＯＭであり、後述する電池劣化判定処理における情報の中継を行うために、電池劣化判定装置用の中継プログラムや、電池劣化判定装置４０のＯＳ等が記憶されている。ＲＡＭ４３は、制御手段４１が、ＯＳや中継プログラムを実行する際に利用するためのＲＡＭである。
【００３３】
電源回路４４は、コンセントに接続された電源ケーブル４４Ｐ（電源アダプタ）を介して供給される電力を電池劣化判定装置４０内に供給する回路である。
【００３４】
通信手段４５は、例えばBluetooth（登録商標）用の通信回路であり、制御手段４１は、通信手段４５及び第１通信回線８１を介して判定端末装置３０と情報の送受信が可能である。通信手段４６は、例えばＵＳＢ（登録商標）用の通信回路であり、制御手段４１は、通信手段４６とコネクタ４６Ｃと第２通信回線８２（ＵＳＢ通信用のケーブル）を介して判定アタッチメント５０と情報の送受信が可能である。
【００３５】
入力手段４７Ａは、例えば各種のスイッチ、ボタン等であり、出力手段４７Ｂは、例えば各種の状態等を示すインジケータランプである。
【００３６】
充電・電圧検出手段４８は、プローブ４９Ａ、４９Ｂに２次電池の端子が接触されている場合、当該２次電池へ充電電流を供給する回路であり、当該２次電池の端子間の電圧を計測する回路である。なお、充電・電圧検出手段４８及びプローブ４９Ａ、４９Ｂは、携帯端末装置に内蔵されている状態の２次電池の劣化判定には使用されない。
【００３７】
●［判定アタッチメント５０の構成（図４）と外観（図６）］
図４は、判定アタッチメント５０の構成の例を示しており、図６は、判定アタッチメント５０の外観の例を示している。判定アタッチメント５０は、例えば制御手段５１（ＣＰＵ）、ＲＯＭ５２、ＲＡＭ５３、電源回路５４、最大出力電流設定回路５４Ａ、通信手段５５、通信手段５６、インストール手段５７Ａ、アンインストール手段５７Ｂ、リセット手段５７Ｃ、シャットダウン手段５７Ｄ、インストール状態ランプ５７Ｊ、アンインストール状態ランプ５７Ｋ、Ｒｅａｄｙランプ５７Ｒ、等を有している。
【００３８】
ＲＯＭ５２（記憶手段に相当）は、例えばマイクロＳＤカード等のＦｌａｓｈ−ＲＯＭであり、後述する電池劣化判定処理における情報の中継を行うための、判定アタッチメント用の中継プログラムや、判定アタッチメント５０のＯＳ等が記憶されている。なお、図４、図６では、ソケット５２Ｓを備えてＲＯＭ５２を着脱可能とした例を示しているが、ＲＯＭ５２を判定アタッチメント５０に内蔵して着脱不能としてもよい。ＲＡＭ５３は、制御手段５１が、ＯＳや中継プログラムを実行する際に利用するためのＲＡＭである。
【００３９】
電源回路５４は、コンセントに接続された電源ケーブル５４Ｐ（電源アダプタ）を介して供給される電力を判定アタッチメント５０内に供給する回路である。最大出力電流設定回路５４Ａは、コネクタ５６Ｃ及び接続ケーブル８３を介して接続された携帯端末装置６０に内蔵されている２次電池６４Ｂを充電するために供給される充電電流の最大電流値を所定最大電流値に設定する回路である。例えば所定最大電流値は、最大出力電流設定回路５４Ａによって、５００［ｍＡ］に設定されている。
【００４０】
通信手段５５は、例えばＵＳＢ用の通信回路であり、制御手段５１は、通信手段５５とコネクタ５５Ｃと第２通信回線８２を介して電池劣化判定装置４０と情報の送受信が可能である。通信手段５６は、例えばＵＳＢ用の通信回路であり、制御手段５１は、通信手段５６とコネクタ５６Ｃと接続ケーブル８３を介して携帯端末装置６０と情報の送受信が可能である。なお、接続ケーブル８３は、携帯端末装置６０に内蔵されている２次電池６４Ｂの充電用ケーブルを兼ねており、最大出力電流設定回路５４Ａによって最大電流値が所定最大電流値に設定された充電電流は、接続ケーブル８３から携帯端末装置６０に供給される。従って、携帯端末装置６０に内蔵されている２次電池６４Ｂは、所定最大電流値以下の充電電流にて充電される。
【００４１】
インストール手段５７Ａ、インストール状態ランプ５７Ｊ、アンインストール手段５７Ｂ、アンインストール状態ランプ５７Ｋについては、第２の実施の形態にて説明する。第１の実施の形態では、インストール手段５７Ａ、インストール状態ランプ５７Ｊ、アンインストール手段５７Ｂ、アンインストール状態ランプ５７Ｋは使用しないので省略してもよい。
【００４２】
リセット手段５７Ｃは、制御手段５１をリセットして再起動させるスイッチである。また、シャットダウン手段５７Ｄは、判定アタッチメント５０をシャットダウンする際に操作するスイッチである。Ｒｅａｄｙランプ５７Ｒは、例えばＬＥＤランプであり、判定アタッチメント５０に電源が供給されてＯＳが起動した際に点灯し、シャットダウン手段５７Ｄが操作されてシャットダウンした際に消灯する。
【００４３】
●［携帯端末装置６０の構成（図５）］
次に図５を用いて携帯端末装置６０の構成について説明する。図５では、携帯端末装置６０として、一般的なスマートフォンを例として説明する。携帯端末装置６０は、制御手段６１（ＣＰＵ）、ＲＯＭ６２、ＲＡＭ６３、充電回路６４Ａ、２次電池６４Ｂ、電圧・温度検出手段６４Ｃ、通信手段６５、通信手段６６Ａ、６６Ｂ、６６Ｃ、入出力手段６７、音声入力手段６７Ａ、音声出力手段６７Ｂ、等を有している。
【００４４】
ＲＯＭ６２は、例えばＦｌａｓｈ−ＲＯＭであり、携帯端末装置６０のＯＳや、各種のアプリケーションプログラム等が記憶されている。ＲＡＭ６３は、制御手段６１が、ＯＳや各種のアプリケーションプログラムを実行する際に利用するためのＲＡＭである。
【００４５】
充電回路６４Ａは、接続ケーブル８３を介して供給される充電電流を用いて２次電池６４Ｂを充電するための回路である。２次電池６４Ｂは、例えばリチウムイオンバッテリであり、携帯端末装置６０の電源である。また本実施の形態では、２次電池６４Ｂが携帯端末装置６０に内蔵されている状態で、２次電池の劣化状態を判定するので、２次電池６４Ｂは、ユーザによって取り外すことができてもよいし、できなくてもよい。電圧・温度検出手段６４Ｃは、２次電池６４Ｂの電圧と温度を検出する回路であり、制御手段６１は、電圧・温度検出手段６４Ｃの検出信号に基づいて、２次電池６４Ｂの電圧と温度を検出することができる。このように、２次電池６４Ｂは、接続ケーブル８３を介して、所定最大電流値以下の充電電流にて充電される。なお符号６４Ｃを、２次電池６４Ｂの電圧を検出する電圧検出手段としてもよい。
【００４６】
通信手段６５は、例えばＵＳＢ用の通信回路であり、制御手段６１は、通信手段６５とコネクタ６５Ｃと接続ケーブル８３を介して判定アタッチメント５０と情報の送受信が可能である。通信手段６６Ａは、例えば携帯電話の基地局用（３Ｇ回線、４Ｇ回線、ＬＴＥ回線等）の通信回路であり、サーバ２０と情報を送受信するため、及び一般的な通話で使用するための通信回路であり、詳細な説明は省略する。通信手段６６Ｂは、例えばＷｉ−Ｆｉ用の通信回路であり、サーバ２０と情報を送受信するため、及び一般的な通話で使用するための通信回路であり、詳細な説明は省略する。通信手段６６Ｃは、例えばBluetooth（登録商標）用の通信回路であり、詳細な説明は省略する。
【００４７】
入出力手段６７は、例えばタッチパネルであり、制御手段６１からの制御に基づいた各種の表示や、ユーザからの入力を受け付ける。音声入力手段６７Ａは、ユーザからの音声を入力するためのマイクであり、音声出力手段６７Ｂは、音声を出力するためのスピーカである。
【００４８】
●［第１の実施の形態の電池劣化判定システム１を用いた、電池劣化判定における作業、及び各機器の処理（動作）（図７〜図１４）］
次に図７を用いて、図１に示す電池劣化判定システム１を用いた、電池劣化判定における店員（作業者）の作業、及び各機器の処理（動作）について説明する。まず店員は、図７に示す（受取）にて、顧客から、内蔵している２次電池の劣化状態の判定を所望する携帯端末装置６０を受け取る（預かる）。なお、図７〜図１０に示す作業・処理シーケンス図において、点線矢印は店員による作業を示し、実線矢印は各機器の処理を示している。
【００４９】
次に店員は、図７に示す［Ａ］作業にて、携帯端末装置６０を操作して、設定メニューから「ＵＳＢデバッグ」にチェックを入れる。続く「判定前処理」については、図８を用いて後述し、「判定処理」については、図９を用いて後述する。
【００５０】
店員は、「判定処理」が終了後、図７に示す（説明）にて、判定端末装置３０に表示された判定結果を顧客に示し、顧客から預かった携帯端末装置６０に内蔵されている２次電池の劣化状態を伝える。続く「判定後処理」については、図１０を用いて後述する。
【００５１】
店員は、「判定後処理」が終了後、図７に示す［Ｂ］作業にて、携帯端末装置６０を操作して、設定メニューから「ＵＳＢデバッグ」のチェックを外す。そして店員は、図７に示す（返却）にて、預かっていた携帯端末装置６０を顧客に返却し、顧客が携帯端末装置６０に内蔵されている２次電池の交換を所望した場合は、交換の手続き（メーカへの発送準備）等を行う。
【００５２】
●［判定前処理の詳細（図８）］
次に図８を用いて、図７中の「判定前処理」の詳細について説明する。店員は、図８中の［１−１］作業にて、電池劣化判定装置４０の電源スイッチをＯＮにする。次に店員は、［１−２］作業にて、判定端末装置３０を操作して、判定端末装置３０にインストールされている電池劣化判定アプリケーションプログラムを起動する。
【００５３】
判定端末装置３０は、電池劣化判定アプリケーションプログラムが起動されると、［１−３］処理にて、図１に示す第１通信回線８１（この場合、Bluetooth（登録商標）通信回線）が利用できるように電池劣化判定装置４０と第１通信回線８１の接続処理を行う。
【００５４】
店員は、第１通信回線８１の接続処理の完了を確認した後、［１−４］作業にて、判定アタッチメント５０の電源ケーブル５４Ｐをコンセントに接続する。
【００５５】
判定アタッチメント５０は、電源ケーブル５４Ｐがコンセントに接続されて電力が供給されると、［１−５］処理にて、ＯＳを起動して、ＯＳの起動が完了したことを示すＲｅａｄｙランプを点灯させる。
【００５６】
店員は、判定アタッチメント５０のＲｅａｄｙランプの点灯を確認した後、［１−６］作業にて、電池劣化判定装置４０と判定アタッチメント５０とを第２通信回線８２（この場合、通信用ＵＳＢケーブル）にて接続する。また店員は、［１−７］作業にて、判定アタッチメント５０と携帯端末装置６０とを接続ケーブル８３（この場合、充電及び通信用ＵＳＢケーブル）にて接続する。この接続ケーブル８３を接続した時点から、携帯端末装置６０に内蔵されている２次電池の充電が開始される（充電状態とされる）。
【００５７】
判定端末装置３０は、［１−２］作業にて、電池劣化判定アプリケーションプログラムが起動されて、［１−３］処理にて、第１通信回線８１の接続処理を終えた後、［１−８］処理を行う。なお、（注１）に示す［１−８］処理〜［１−１５］処理は、いわゆるポーリング処理にて行わる。ポーリング処理とは、１つの相手に要求を投げ続け、応答があれば接続があることを確認する処理をいう。この場合、判定端末装置３０は、電池劣化判定装置４０に［１−８］処理による応答要求を投げ続け、［１−１４］処理による応答があった場合は、判定端末装置３０、電池劣化判定装置４０、判定アタッチメント５０、携帯端末装置６０が、順番に正しく接続されている（各通信回線で接続されている）ことを確認する処理をいう。例えば、判定端末装置３０から電池劣化判定装置４０、判定アタッチメント５０、携帯端末装置６０に至る各機器及び各通信回線のいずれかが、まだ接続されていない場合は、判定端末装置３０が、例えば１［ｓｅｃ］毎に［１−８］処理を行っても、所定時間内に［１−１４］処理の応答が帰って来ないので、［１−１５］処理が行われない。判定端末装置３０から携帯端末装置６０に至る各通信回線及び各機器が正常に接続された場合は、判定端末装置３０が、例えば１［ｓｅｃ］毎に［１−８］処理を行った際、所定時間内に［１−１４］処理の応答が帰って来て、［１−１５］処理が実行される。すなわち、後述するように、店員は［１−１５］処理によって判定端末装置３０の入出力手段（タッチパネル）に機種情報が表示されたことを確認することで、判定端末装置３０から電池劣化判定装置４０、判定アタッチメント５０、携帯端末装置６０に至る各機器及び各通信回線のすべてが正常に接続されたことを確認することができる。
【００５８】
電池劣化判定装置４０は、機種要求情報を受信すると、［１−９］処理にて、受信した機種要求情報を、第２通信回線８２を介して判定アタッチメント５０に送信する。
【００５９】
判定アタッチメント５０は、機種要求情報を受信すると、［１−１０］処理にて、受信した機種要求情報に基づいた機種要求コマンドを、接続ケーブル８３を介して携帯端末装置６０に送信する。
【００６０】
携帯端末装置６０は、機種要求コマンドを受信すると、［１−１１］処理にて、予め記憶されている自身の機種を示す機種情報を取得する。そして携帯端末装置６０は、［１−１２］処理にて、取得した機種情報を含む機種応答情報を、接続ケーブル８３を介して判定アタッチメント５０に送信する。
【００６１】
判定アタッチメント５０は、機種応答情報を受信すると、［１−１３］処理にて、受信した機種応答情報を、第２通信回線８２を介して電池劣化判定装置４０に送信する。
【００６２】
電池劣化判定装置４０は、機種応答情報を受信すると、［１−１４］処理にて、受信した機種応答情報を、第１通信回線８１を介して判定端末装置３０に送信する。
【００６３】
判定端末装置３０は、機種応答情報を受信すると、［１−１５］処理にて、受信した機種応答情報に含まれている機種情報を記憶する。また判定端末装置３０は、記憶した機種情報を入出力手段（タッチパネル）に表示する。
【００６４】
●［判定処理の詳細（図９）と２次電池の劣化状態の判定方法（図１１〜図１４）］
次に図９を用いて、図７中の「判定処理」の詳細について説明する。店員は、図９中の［２−１］作業にて、電池劣化判定アプリケーションプログラムが起動されている判定端末装置３０を操作して、入出力手段（画面）に表示されている判定開始ボタンを押す（タップする）。なお、判定開始ボタンは、図８中の［１−１５］処理にて、機種情報の表示が異常なく表示された場合に、押すことが可能な状態（タップ可能な状態）へと表示が変化されている。
【００６５】
判定端末装置３０は、判定開始ボタンがタップされると（第１の所定タイミングに相当）、［２−２］処理にて、（携帯端末装置６０の）機種情報を含む判定基準要求情報を、インターネット７０を介してサーバ２０に向けて送信する。なお、［判定前処理］を省略し、店員が判定端末装置３０を操作して、店員が機種情報を入力して判定基準要求情報を作成し、作成した判定基準要求情報をサーバ２０に向けて送信するようにしてもよい。
【００６６】
サーバ２０は、判定基準要求情報を受信すると、［２−３］処理にて、記憶している電池判定基準情報（図１４参照）の中から、受信した判定基準要求情報に含まれている機種情報に対応する判定基準情報を抽出する。なお、サーバ２０には、判定対象である２次電池を内蔵している携帯端末装置の機種情報毎に判定基準情報が対応付けられた電池判定基準情報２０Ａ（図１４参照）が記憶されている。例えば電池判定基準情報２０Ａには、図１４に示すように、判定基準情報に相当する劣化なし新品時面積と劣化進行度５０％要交換時面積と電池状態取得コマンド等が、機種情報に対応付けられている。なお、劣化なし新品時面積、劣化進行度５０％要交換時面積、電池状態取得コマンド、については後述する。
【００６７】
サーバ２０は、判定基準情報を抽出すると、［２−４］処理にて、抽出した判定基準情報（劣化なし新品時面積、劣化進行度５０％要交換時面積、電池状態取得コマンド等）を含む判定基準応答情報を、インターネット７０を介して判定端末装置３０に送信する。
【００６８】
判定端末装置３０は、判定基準応答情報を受信すると、［２−５］処理にて、受信した判定基準応答情報に含まれている判定基準情報を記憶した後、所定時間間隔にて（例えば１［ｓｅｃ］間隔にて）、（判定基準情報に含まれていた）電池状態取得コマンドを含む電池状態要求情報を、第１通信回線８１を介して電池劣化判定装置４０に送信する。なお、電池状態取得コマンドは、予め電池劣化判定アプリケーションプログラムで用意されたものを用いてもよい。
【００６９】
電池劣化判定装置４０は、電池状態要求情報を受信すると、［２−６］処理にて、受信した電池状態要求情報を、第２通信回線８２を介して判定アタッチメント５０に送信する。
【００７０】
判定アタッチメント５０は、電池状態要求情報を受信すると、［２−７］処理にて、受信した電池状態要求情報に含まれている電池状態取得コマンドを、接続ケーブル８３を介して携帯端末装置６０に送信する。電池状態取得コマンドは、一部の携帯端末装置では、機種情報毎に異なるコマンドとされている場合がある。従って、機種情報毎に電池状態取得コマンドを持つことが好ましいので、サーバ２０が記憶している電池判定基準情報２０Ａ（図１４参照）において、電池状態取得コマンドを、機種情報毎に設定しておくと、便利である。
【００７１】
携帯端末装置６０は、電池状態取得コマンドを受信すると、［２−８］処理にて、受信した電池状態取得コマンドに基づいて、自身に内蔵されて接続ケーブル８３を介して充電中の２次電池の状態（主に電圧と温度）を取得する。
【００７２】
携帯端末装置６０は、充電中の２次電池の状態を取得すると、［２−９］処理にて、取得した２次電池の電池状態（電圧を含む）を含む電池状態応答情報を、接続ケーブル８３を介して判定アタッチメント５０に送信する。
【００７３】
判定アタッチメント５０は、電池状態応答情報を受信すると、［２−１０］処理にて、受信した電池状態応答情報を、第２通信回線８２を介して電池劣化判定装置４０に送信する。
【００７４】
電池劣化判定装置４０は、電池状態応答情報を受信すると、［２−１１］処理にて、受信した電池状態応答情報を、第１通信回線８１を介して判定端末装置３０に送信する。そして判定端末装置３０は、電池状態応答情報を受信すると、受信した電池状態応答情報を記憶する。なお、図９中の（注２）は、例えば１０分間程度の間、１［ｓｅｃ］毎に（所定時間間隔にて）、［２−５］処理〜［２−１１］処理を繰り返し、判定端末装置３０にて時間の経過に応じた電池状態応答情報を収集することを示している。これにより、判定端末装置３０は、時間の経過に応じた２次電池の電池状態（この場合、電圧）を示す充電特性（例えば、図１２の例に示す［充電特性（充電電圧特性）］の一点鎖線にて示す特性）を計測することができる。
【００７５】
判定端末装置３０は、［２−１２］処理にて、計測した充電特性と、サーバ２０から受信した判定基準情報と、に基づいて、２次電池の劣化状態を判定し、判定結果を入出力手段（タッチパネル）に表示する。例えば、２次電池の劣化進行度（劣化の進行度合い（進み具合））が５０％未満であると判定した場合では、「十分利用できる電池です」等の表示を行い、２次電池の劣化進行度が５０％以上であると判定した場合では、「容量低下が進んでいます（交換をお奨めします）」等の表示を行う。そして判定端末装置３０は、［２−１３］処理にて、判定結果を含む判定結果情報をサーバ２０に送信する。なお、劣化進行度が０％の場合は新品状態の２次電池を指し、劣化進行度が１００％の場合は完全消耗状態の２次電池を指す。
【００７６】
例えば、計測した充電特性が、図１２の［充電特性（充電電圧特性）］の一点鎖線にて示す特性であった場合、２次電池の電池容量（充電容量）が５０％となった時間［Ｔ21］から、２次電池の電池容量が８０％となった時間［Ｔ22］までの間に着目する。この電池容量５０％〜電池容量８０％における充電時のグラフの傾きは、図１３の例に示すように、新品時の２次電池の場合と要交換時の２次電池（２次電池の劣化進行度が５０％以上となった２次電池）の場合では、大きく異なる。図１３の例に示すように、新品時の２次電池では、電池容量５０％〜電池容量８０％における充電時のグラフ（新品特性）の傾きは緩やかであり、電池容量５０％から電池容量８０％に至るまでの時間も長い。このため、新品特性の曲線と時間軸とで囲まれる面積である「劣化なし新品時面積」は、比較的大きい。また図１３の例に示すように、要交換時の２次電池では、電池容量５０％〜電池容量８０％における充電時のグラフ（要交換特性）の傾きは（新品特性）の傾きよりも大きく且つ電池容量５０％から電池容量８０％に至るまでの時間も短い。このため、要交換特性の曲線と時間軸とで囲まれる面積である「劣化進行度５０％要交換時面積」は、「劣化なし新品時面積」よりも小さい。なお、電池容量５０％に相当する電圧、及び電池容量８０％に相当する電圧は、予め設定されている。
【００７７】
例えば、判定端末装置３０は、計測した充電特性において、電池容量５０％から電池容量８０％に至る計測特性（図１３参照）を求め、求めた計測特性と時間軸とで囲まれる面積である計測面積の大きさが、「劣化なし新品時面積」以下であり且つ「劣化進行度５０％要交換時面積」よりも大きい場合は、２次電池の劣化は進行していないと判定し、「十分利用できる電池です」等の表示を入出力手段（タッチパネル）に表示する。また例えば判定端末装置３０は、求めた計測特性と時間軸とで囲まれる面積である計測面積の大きさが、「劣化進行度５０％要交換時面積」以下である場合は、２次電池の劣化は進行していると判定し、「容量低下が進んでいます（交換をお奨めします）」等の表示を入出力手段（タッチパネル）に表示する。なお、「劣化なし新品時面積」、「劣化進行度５０％要交換時面積」は、サーバ２０から受信した判定基準情報に含まれている（図１４参照）。
【００７８】
なお、上述した充電特性は、携帯端末装置６０の２次電池６４Ｂに供給する充電電流の大きさによって大きく変化する。近年では、大容量の２次電池をより短時間で充電できるように、最大出力電流値が異なる種々の充電用ケーブルを含む充電器が出回っている。例えば図１１の例は、携帯端末装置６０の２次電池６４Ｂ用の充電器として、充電器６９Ａ（最大出力電流値：５００［ｍＡ］）と、充電器６９Ｂ（最大出力電流値：１０００［ｍＡ］）と、が有る場合の例を示している。
【００７９】
図１２に示す［充電電流特性］及び［充電特性（充電電圧特性）］における一点鎖線にて示す特性は、図１１の充電器６９Ａ（最大出力電流値：５００［ｍＡ］）を使用した場合の特性を示し、二点鎖線にて示す特性は、図１１の充電器６９Ｂ（最大出力電流値：１０００［ｍＡ］）を使用した場合の特性を示している。このように、充電電流が異なると充電特性（充電電圧特性）が変わってしまう。これでは、図１３で用いた劣化なし新品時面積、及び劣化進行度５０％要交換時面積、を用いて、正確な判定を行うことができない。
【００８０】
そこで、図１において、電源ケーブル５４Ｐと判定アタッチメント５０を介して接続ケーブル８３から携帯端末装置６０に内蔵されている２次電池６４Ｂを充電するために供給される充電電流の最大電流値を、予め所定最大電流値に設定しておく。本実施の形態では、所定最大電流値を、５００［ｍＡ］に設定している。これにより、携帯端末装置６０に内蔵されている２次電池６４Ｂは、所定最大電流値以下（この場合、５００［ｍＡ］以下）の充電電流で充電される。そして、サーバ２０に記憶されている電池判定基準情報における判定基準情報（この場合、劣化なし新品時面積と劣化進行度５０％要交換時面積）は、所定最大電流値（この場合、５００［ｍＡ］）に対応付けて設定されている。これにより、誤判定を防止して、より正確に、２次電池の劣化状態を判定することができる。
【００８１】
●［判定後処理の詳細（図１０）］
次に図１０を用いて、図７中の「判定後処理」の詳細について説明する。店員は、図１０中の［３−１］作業にて、携帯端末装置６０を接続ケーブル８３から取り外し、判定アタッチメント５０から接続ケーブル８３を取り外す。また店員は、［３−２］作業にて、判定アタッチメント５０を第２通信回線８２から取り外し、電池劣化判定装置４０から第２通信回線８２を取り外す。そして店員は、［３−３］作業にて、判定アタッチメント５０のシャットダウン手段５７Ｄを操作する（シャットダウン指示をする）。
【００８２】
判定アタッチメント５０は、シャットダウン手段５７Ｄが操作されると、［３−４］処理にて、自身をシャットダウンして、Ｒｅａｄｙランプ５７Ｒを消灯する。
【００８３】
店員は、判定アタッチメント５０のＲｅａｄｙランプ５７Ｒの消灯を確認した後、［３−５］作業にて、判定端末装置３０にて起動している電池劣化判定アプリケーションプログラムを終了する。また店員は、［３−６］作業にて、電池劣化判定装置４０の電源スイッチをＯＦＦにする。なお、図１０中の（注３）は、連続して別の携帯端末装置の２次電池の劣化状態の判定を所望する場合は、［３−２］作業〜［３−６］作業を省略してもよいことを示している。
【００８４】
●●［第２の実施の形態の電池劣化判定システム２の全体構成（図１５）］
次に図１５〜図１９を用いて、第２の実施の形態における電池劣化判定システム２について説明する。図１５は、第２の実施の形態の電池劣化判定システム２の全体構成を示している。図１５に示す電池劣化判定システム２は、図１に示す第１の実施の形態の電池劣化判定システム１に対して、判定端末装置３０と電池劣化判定装置４０が省略されている点が異なり、判定アタッチメント５０と携帯端末装置６０の処理（動作）が異なる。以下、この相違点について主に説明する。
【００８５】
管理端末装置１０については、第１の実施の形態と同様であるので、説明を省略する。また、サーバ２０については、第１の実施の形態と同様、電池判定基準情報（図１４参照）が記憶されているが、詳細は第１の実施の形態と同様であるので、説明を省略する。
【００８６】
判定アタッチメント５０は、例えば小型のパーソナルコンピュータであり、自身に電力を供給する電源ケーブル５４Ｐが接続されている。判定アタッチメント５０と携帯端末装置６０は、接続ケーブル８３（例えば、充電及び通信用ＵＳＢケーブル）にて互いに送受信可能となるように接続されている。また第２の実施の形態では、判定アタッチメント５０は、判定アタッチメント５０が記憶している電池劣化判定アプリケーションプログラム（携帯用）を、接続ケーブル８３を介して携帯端末装置６０にインストールして、携帯端末装置６０にて電池劣化判定アプリケーションプログラム（携帯用）を実行させる。なお詳細については後述する。
【００８７】
携帯端末装置６０は、例えば携帯電話、スマートフォン、タブレット型端末装置等を含み、計測対象である２次電池６４Ｂを内蔵している。そして携帯端末装置６０に内蔵されている２次電池６４Ｂは、接続ケーブル８３を介して判定アタッチメント５０から充電される充電状態とされており、充電時の特性である充電特性が計測される。また携帯端末装置６０とサーバ２０は、通信回線８４及びインターネット７０を介して互いに情報を送受信可能となるように接続されている。なお、通信回線８４は、携帯端末装置６０がサーバ２０との間で情報を送受信するための通信回線であり、Ｗｉ−Ｆｉや、３Ｇ回線や４Ｇ回線やＬＴＥ回線等である。
【００８８】
●［判定アタッチメント５０の構成（図４）と外観（図６）］
判定アタッチメント５０の構成は、図４に示す第１の実施の形態と同様であり、外観は、図６に示す第１の実施の形態と同様である。なお、第２の実施の形態の判定アタッチメント５０では、インストール手段５７Ａが必須である。なお、アンインストール手段５７Ｂと、インストール状態ランプ５７Ｊと、アンインストール状態ランプ５７Ｋについては、設けられているほうが好ましいが、省略されていてもよい。
【００８９】
ＲＯＭ５２（記憶手段に相当）には、判定アタッチメント５０のＯＳや、携帯端末装置６０にインストールするための電池劣化判定アプリケーションプログラム（携帯用）や、電池劣化判定アプリケーションプログラム（携帯用）を携帯端末装置６０にインストールするプログラムや、携帯端末装置６０からの電池劣化判定アプリケーションプログラム（携帯用）のアンインストールを指示するプログラム等が記憶されている。またＲＯＭ５２は、第１の実施の形態と同様、着脱可能であってもよいし、着脱不能であってもよい。
【００９０】
インストール手段５７Ａは、判定アタッチメント５０のＲＯＭ５２に記憶されている電池劣化判定アプリケーションプログラム（携帯用）を、接続ケーブル８３を介して携帯端末装置６０にインストールすることを指示するスイッチである。店員がインストール手段５７Ａを操作すると、接続ケーブル８３を介して携帯端末装置６０への電池劣化判定アプリケーションプログラム（携帯用）のインストールが開始される。例えばインストール処理の実行中には、インストール状態ランプ５７Ｊ（例えばＬＥＤ）が点滅される。そして例えばインストール処理が完了すると、インストール状態ランプ５７Ｊは点灯される。
【００９１】
アンインストール手段５７Ｂは、携帯端末装置６０にインストールされた電池劣化判定アプリケーションプログラム（携帯用）をアンインストールするためのコマンド等を、接続ケーブル８３を介して携帯端末装置６０に送信することを指示するスイッチである。店員がアンインストール手段５７Ｂを操作すると、接続ケーブル８３を介して前記コマンドが携帯端末装置６０に送信され、携帯端末装置６０から電池劣化判定アプリケーションプログラム（携帯用）をアンインストールする処理が開始される。例えばアンインストール処理の実行中には、アンインストール状態ランプ５７Ｋ（例えばＬＥＤ）が点滅される。そして例えばアンインストール処理が完了すると、アンインストール状態ランプ５７Ｋは点灯される。
【００９２】
なお、判定アタッチメント５０における他の構成については、第１の実施の形態と同様であるので、説明を省略する。また、携帯端末装置６０の構成も、第１の実施の形態と同様であるので、説明を省略する。
【００９３】
●［第２の実施の形態の電池劣化判定システム２を用いた、電池劣化判定における作業、及び各機器の処理（動作）（図１６〜図１９）］
次に図１６を用いて、第２の実施の形態の電池劣化判定システム２（図１５参照）を用いた電池劣化判定における店員（作業者）の作業、及び各機器の処理（動作）について説明する。まず店員は、図１６に示す（受取）にて、顧客から、内蔵している２次電池の劣化状態の判定を所望する携帯端末装置６０を受け取る（預かる）。なお、図１６〜図１９に示す作業・処理シーケンス図において、点線矢印は店員による作業を示し、実線矢印は各機器の処理を示している。
【００９４】
次に店員は、図１６に示す［Ａ］作業にて、携帯端末装置６０を操作して、設定メニューから「ＵＳＢデバッグ」にチェックを入れる。続く「判定前処理」については、図１７を用いて後述し、「判定処理」については、図１８を用いて後述する。
【００９５】
店員は、「判定処理」が終了後、図１６に示す（説明）にて、携帯端末装置６０に表示された判定結果を顧客に示し、顧客から預かった携帯端末装置６０に内蔵されている２次電池の劣化状態を伝える。続く「判定後処理」については、図１９を用いて後述する。
【００９６】
店員は、「判定後処理」が終了後、図１６に示す［Ｂ］作業にて、携帯端末装置６０を操作して、設定メニューから「ＵＳＢデバッグ」のチェックを外す。そして店員は、図１６に示す（返却）にて、預かっていた携帯端末装置６０を顧客に返却し、顧客が携帯端末装置６０に内蔵されている２次電池の交換を所望した場合は、交換の手続き（メーカへの発送準備）等を行う。
【００９７】
●［判定前処理の詳細（図１７）］
次に図１７を用いて、図１６中の「判定前処理」の詳細について説明する。店員は、図１７中の［４−１］作業にて、判定アタッチメント５０の電源ケーブル５４Ｐをコンセントに接続する。
【００９８】
判定アタッチメント５０は、電源ケーブル５４Ｐがコンセントに接続されて電力が供給されると、［４−２］処理にて、ＯＳを起動して、ＯＳの起動が完了したことを示すＲｅａｄｙランプを点灯させる。
【００９９】
店員は、判定アタッチメント５０のＲｅａｄｙランプの点灯を確認した後、［４−３］作業にて、判定アタッチメント５０と携帯端末装置６０とを接続ケーブル８３（この場合、充電及び通信用ＵＳＢケーブル）にて接続する。この接続ケーブル８３を接続した時点から、携帯端末装置６０に内蔵されている２次電池の充電が開始される（充電状態とされる）。
【０１００】
そして店員は、［４−４］作業にて、判定アタッチメント５０のインストール手段５７Ａを操作する（スイッチを押す）。
【０１０１】
判定アタッチメント５０は、インストール手段５７Ａが操作されると、［４−５］処理にて、記憶している電池劣化判定アプリケーションプログラム（携帯用）を、接続ケーブル８３を介して携帯端末装置６０にインストールする処理を開始する。なお、インストール中において、判定アタッチメント５０は、インストール状態ランプ５７Ｊを点滅させ、インストールを実行中であることを店員に知らせる。
【０１０２】
携帯端末装置６０は、インストールが完了すると、［４−６］処理にて、インストールが完了したことを知らせるレスポンスを判定アタッチメント５０に送信する。電池劣化判定アプリケーションプログラム（携帯用）がインストールされた携帯端末装置６０は、インストール済携帯端末装置に相当する。
【０１０３】
判定アタッチメント５０は、前記レスポンスを受信すると、［４−７］処理にて、インストール状態ランプ５７Ｊを点灯させ、インストールが完了したことを店員に知らせる。
【０１０４】
●［判定処理の詳細（図１８）］
次に図１８を用いて、図１６中の「判定処理」の詳細について説明する。（インストール済）携帯端末装置６０は、図１７に示す［４−６］処理のレスポンスを送信した後、図１８中の［５−１］処理にて、インストールした電池劣化判定アプリケーションプログラム（携帯用）を自動的に起動する。
【０１０５】
（インストール済）携帯端末装置６０は、電池劣化判定アプリケーションプログラム（携帯用）を起動すると、［５−２］処理にて、自身の機種情報を読み出し、読み出した機種情報を含む判定基準要求情報を、インターネット７０を介してサーバ２０に向けて送信する。
【０１０６】
サーバ２０は、判定基準要求情報を受信すると、［５−３］処理にて、記憶している電池判定基準情報（図１４参照）の中から、受信した判定基準要求情報に含まれている機種情報に対応する判定基準情報を抽出する。なお、電池判定基準情報、及び抽出した判定基準情報については、第１の実施の形態と同様であるので、説明は省略する。
【０１０７】
サーバ２０は、判定基準情報を抽出すると、［５−４］処理にて、抽出した判定基準情報（劣化なし新品時面積、劣化進行度５０％要交換時面積、電池状態取得コマンド等）を含む判定基準応答情報を、インターネット７０を介して（インストール済）携帯端末装置６０に送信する。
【０１０８】
（インストール済）携帯端末装置６０は、判定基準応答情報を受信すると、［５−５］処理にて、受信した判定基準応答情報に含まれている判定基準情報を記憶した後、所定時間間隔にて（例えば１［ｓｅｃ］間隔にて）、（判定基準情報に含まれていた）電池状態取得コマンドに基づいて、自身に内蔵されて接続ケーブル８３を介して充電中の２次電池の状態（主に電圧と温度）を取得して記憶する。なお、図１８中の（注５）は、例えば１０分間程度の間、１［ｓｅｃ］毎に（所定時間間隔にて）、［５−５］処理を繰り返し、（インストール済）携帯端末装置６０にて時間の経過に応じた、充電中の２次電池の状態を収集することを示している。これにより、（インストール済）携帯端末装置６０は、時間の経過に応じた２次電池の充電状態（この場合、電圧）を示す充電特性（例えば、図１２の例に示す［充電特性（充電電圧特性）］の一点鎖線にて示す特性）を計測することができる。
【０１０９】
（インストール済）携帯端末装置６０は、［５−５］処理の繰り返しを終えると（この場合、１０分程度が経過すると）、計測した充電特性と、サーバ２０から受信した判定基準情報と、に基づいて、２次電池の劣化状態を判定し、判定結果を入出力手段（タッチパネル）に表示する。例えば、２次電池の劣化進行度が５０％未満であると判定した場合では、「十分利用できる電池です」等の表示を行い、２次電池の劣化進行度が５０％以上であると判定した場合では、「容量低下が進んでいます（交換をお奨めします）」等の表示を行う。そして（インストール済）携帯端末装置６０は、［５−６］処理にて、判定結果を含む判定結果情報をサーバ２０に送信する。なお、２次電池の劣化状態の判定方法については、第１の実施の形態と同様であるので、説明を省略する。
【０１１０】
図１５において、電源ケーブル５４Ｐと判定アタッチメント５０を介して接続ケーブル８３から（インストール済）携帯端末装置６０に内蔵されている２次電池６４Ｂを充電するために供給される充電電流の最大電流値は、予め所定最大電流値に設定されている。本実施の形態では、所定最大電流値を、５００［ｍＡ］に設定している。これにより、（インストール済）携帯端末装置６０に内蔵されている２次電池６４Ｂは、所定最大電流値以下（この場合、５００［ｍＡ］以下）の充電電流で充電される。そして、サーバ２０に記憶されている電池判定基準情報における判定基準情報（この場合、劣化なし新品時面積と劣化進行度５０％要交換時面積）は、所定最大電流値（この場合、５００［ｍＡ］）に対応付けて設定されている。これにより、誤判定を防止して、より正確に、２次電池の劣化状態を判定することができる。
【０１１１】
●［判定後処理の詳細（図１９）］
次に図１９を用いて、図１６中の「判定後処理」の詳細について説明する。店員は、図１９中の［６−１］作業にて、判定アタッチメント５０のアンインストール手段５７Ｂを操作する（スイッチを押す）。
【０１１２】
判定アタッチメント５０は、アンインストール手段５７Ｂが操作されると、［６−２］処理にて、（インストール済）携帯端末装置６０にインストールされている電池劣化判定アプリケーションプログラム（携帯用）をアンインストールするためのコマンドを、接続ケーブル８３を介して（インストール済）携帯端末装置６０に送信する。
【０１１３】
（インストール済）携帯端末装置６０は、アンインストールをするための前記コマンドを受信すると、［６−３］処理にて、自身にインストールされている電池劣化判定アプリケーションプログラム（携帯用）のアンインストールを開始する。なお、アンインストール中において、判定アタッチメント５０は、アンインストール状態ランプ５７Ｋを点滅させ、アンインストールを実行中であることを店員に知らせる。
【０１１４】
携帯端末装置６０は、アンインストールが完了すると、［６−４］処理にて、アンインストールが完了したことを知らせるレスポンスを判定アタッチメント５０に送信する。
【０１１５】
判定アタッチメント５０は、前記レスポンスを受信すると、［６−５］処理にて、アンインストール状態ランプ５７Ｋを点灯させ、アンインストールが完了したことを店員に知らせる。
【０１１６】
店員は、アンインストール状態ランプ５７Ｋの点灯を確認すると、［６−６］作業にて、携帯端末装置６０を接続ケーブル８３から取り外し、判定アタッチメント５０から接続ケーブル８３を取り外す。
【０１１７】
そして店員は、［６−７］作業にて、判定アタッチメント５０のシャットダウン手段５７Ｄを操作する（シャットダウン指示をする）。
【０１１８】
判定アタッチメント５０は、シャットダウン手段５７Ｄが操作されると、［６−８］処理にて、自身をシャットダウンして、Ｒｅａｄｙランプ５７Ｒを消灯する。
【０１１９】
本発明の電池劣化判定システム１、２は、本実施の形態で説明した外観、構成、処理手順等に限定されず、本発明の要旨を変更しない範囲で種々の変更、追加、削除が可能である。例えば、判定アタッチメント５０や電池劣化判定装置４０の構成、外観、動作等は、本実施の形態にて説明したものに限定されるものではない。
【０１２０】
また、電池判定基準情報は、本実施の形態にて説明した例に限定されるものではない。また２次電池の充電特性による劣化状態の判定方法は、本実施の形態にて説明した判定方法に限定されるものではない。
【０１２１】
通信回線８０、第１通信回線８１、第２通信回線８２、通信回線８４、のそれぞれは、無線方式でもよいし、有線方式でもよい。また無線方式の場合、Ｗｉ−Ｆｉであってもよいし、Bluetooth（登録商標）であってもよい。通信回線８０、第１通信回線８１、第２通信回線８２、通信回線８４、の通信回線の無線／有線や、通信方法については、特に限定しない。
【０１２２】
また、本実施の形態の説明に用いた数値は一例であり、この数値に限定されるものではない。また、以上（≧）、以下（≦）、より大きい（＞）、未満（＜）等は、等号を含んでも含まなくてもよい。
【符号の説明】
【０１２３】
１、２    電池劣化判定システム
１０      管理端末装置
２０      サーバ
２０Ａ    電池判定基準情報
３０      判定端末装置
４０      電池劣化判定装置
５０      判定アタッチメント
５１      制御手段
５２      ＲＯＭ（記憶手段）
５２Ｓ    ソケット
５４Ａ    最大出力電流設定回路
５４Ｐ    電源ケーブル（電源アダプタ）
５７Ａ    インストール手段
５７Ｂ    アンインストール手段
５７Ｃ    リセット手段
５７Ｄ    シャットダウン手段
５７Ｊ    インストール状態ランプ
５７Ｋ    アンインストール状態ランプ
５７Ｒ    Ｒｅａｄｙランプ
６０      携帯端末装置
６４Ｂ    ２次電池
６４Ｃ    電圧・温度検出手段
７０      インターネット
８０      通信回線
８１      第１通信回線
８２      第２通信回線
８３      接続ケーブル
８４      通信回線
【図１】
2017044566.tif 000003
【図２】
2017044566.tif 000004
【図３】
2017044566.tif 000005
【図４】
2017044566.tif 000006
【図５】
2017044566.tif 000007
【図６】
2017044566.tif 000008
【図７】
2017044566.tif 000009
【図８】
2017044566.tif 000010
【図９】
2017044566.tif 000011
【図１０】
2017044566.tif 000012
【図１１】
2017044566.tif 000013
【図１２】
2017044566.tif 000014
【図１３】
2017044566.tif 000015
【図１４】
2017044566.tif 000016
【図１５】
2017044566.tif 000017
【図１６】
2017044566.tif 000018
【図１７】
2017044566.tif 000019
【図１８】
2017044566.tif 000020
【図１９】
2017044566.tif 000021